(57)【要約】      （修正有）【課題】生活の中の様々な健康に有害な恐れのある因子を簡易な方法で防止し、体の正常な機能の状態を維持し、生活の品質を高める空気清浄機を提供する。【解決手段】空気清浄機１は、本体１０と、そらせ板と、ろ過材と、ファンモジュール１３と、を含む。本体１０は、第１の開口１０１と、第２の開口１０２と、少なくとも一つの第１の受容タンク１０３とを備える。そらせ板は、第１の受容タンク１０３の上方に設けられ、本体１０を仕切って空気取入ブロックと空気吹出しブロックとに形成し、その中は、空気取入ブロックが第１の開口１０１に連通され、空気吹出しブロックが第２の開口１０２に連通されている。ろ過材は第１の受容タンク１０３に充填されている。ファンモジュール１３は、第１の開口１０１から外部空気を取り入れて空気取入ブロックからろ過材を経由してから空気吹出しブロックに入るために設けられている。【選択図】図１
0003196756.tif 000002
【実用新案登録請求の範囲】
【請求項１】
少なくとも一つの第１の開口と、少なくとも一つの第２の開口と、少なくとも一つの第１の受容タンクとを備える本体と、
前記第１の受容タンクの上方に設けられ、前記本体を仕切って空気取入ブロックと空気吹出しブロックとに形成し、前記空気取入ブロックが前記第１の開口に連通され、前記空気吹出しブロックが前記第２の開口に連通されているそらせ板と、
前記第１の受容タンクに充填されている少なくとも一つのろ過材と、
前記第１の開口から外部空気を取り入れて前記空気取入ブロックからろ過材または該ろ過材の表面を経由し反発されてから前記空気吹出しブロックに入るように、前記体の内部または外部に設けられているファンモジュールと、を含むことを特徴とする、
空気清浄機。
【請求項２】
底板と、前記底板に対向して設置され、そらせ板にそれぞれ接続されている第１の側板及び第２の側板と、前記第１の側板と前記第２の側板と前記底板との間に対向して設置されているパネル及び裏板とを備え、前記裏板と前記そらせ板との間に前記第１の開口が形成され、前記パネルと前記そらせ板との間に前記第２の開口が形成されていることを特徴とする請求項１記載の空気清浄機。
【請求項３】
前記本体は、前記空気吹出しブロックに設置されている第２の受容タンクをさらに備えることを特徴とする請求項１記載の空気清浄機。
【請求項４】
さらに、
前記本体に設置されている少なくとも一つの緑の植栽と、前記緑の植栽を照射するための光源モジュールと、を備えることを特徴とする請求項３記載の空気清浄機。
【請求項５】
前記光源モジュールは、少なくとも一つの第１の光源と、少なくとも一つの第２の光源とを有し、前記第１の光源の波長は５００ｎｍより小さく、前記第２の光源の波長は５００ｎｍよりも大きいことを特徴とする請求項４記載の空気清浄機。
【考案の詳細な説明】
【技術分野】
【０００１】
本考案は、清浄機に関し、特に、空気清浄機に関する。
【背景技術】
【０００２】
商工業活動が盛んに発展することにつれ、エネルギーが大量に消費されて全世界は温暖化、砂漠化に進むことによって、空気の中に様々な浮遊粒子及び有毒物質が含まれるような事態を招いた。仕事職場あるいは家庭での生活環境のどちらであろうと、人々は、呼吸する空気や飲食から様々な健康に悪い因子を自然と累積していくことになり、軽い場合には例えばアレルギー、重い場合には例えば癌までになってしまい、生活品質に影響を大きく与えることになる。
【０００３】
心身の健康を求めるのは人々の目標であり、スポーツはその目標を達成する方法の一つである。しかし、ビジネスの社会では、誰もがスポーツの習慣を維持することができる時間と環境の余裕を有しているのではない。各種の医薬品及び保健用食品は他の方法であるが、様々な医薬品または保健食品を代謝するのに、体に対して他の負担が生ずる恐れがある。
【考案の概要】
【考案が解決しようとする課題】
【０００４】
そのため、どのように例えば、日光、空気、水などの人類に必要で最も基本的な要素から、生活の中の様々な健康に有害な恐れのある因子を簡易な方法で防止し、体の正常な機能の状態を維持し、生活の品質を高めるかが、本考案の主な目的である。
【課題を解決するための手段】
【０００５】
本考案の主な目的は、本体と、そらせ板と、ろ過材と、ファンモジュールと、を含む空気清浄機を提供することにある。本体は、少なくとも一つの第１の開口と、少なくとも一つの第２の開口と、少なくとも一つの第１の受容タンクとを備える。そらせ板は、第１の受容タンクの上方に設けられ、本体を仕切って空気取入ブロックと空気吹出しブロックとに形成し、その中は、空気取入ブロックが第１の開口に連通され、空気吹出しブロックが第２の開口に連通されている。ろ過材は第１の受容タンクに充填されている。ファンモジュールは、第１の開口から外部空気を取り入れて空気取入ブロックからろ過材または該ろ過材の表面を経由してから空気吹出しブロックに入るように、該本体の内部または外部に設けられている。
【０００６】
本考案の空気清浄機は、ファンモジュールとそらせ板とを備え、外部の空気が案内され、本体の空気取入ブロックから第１の受容タンク内のろ過材に接触し、ろ過材によって外部空気の中に付いている恐れのある浮遊粒子及び有毒物質を吸着し、浄化された後の空気はさらに本体の空気吹出しブロックを通して室内の空間に吹出される。そのため、本考案の空気清浄機は、生活の中で様々な恐らく健康に有害な因子を簡易な方法で有効に防止することができ、体の正常な機能の状態を維持し、生活の品質を高める効果に達成する。
【０００７】
本考案の上述した目的とその他の目的、特徴及び長所を更に明確で分かり易くするために、以下は特に好適な実施例を挙げて、詳細に説明する。
【図面の簡単な説明】
【０００８】
【図１】本考案に係る第１実施例を示す外観図である。
【図２】図１の側面から見るＡ−Ａ  ’線断面図である。
【図３】本考案に係る第２実施例を示す側面断面図である。
【図４】本考案に係る第３実施例を示す側面断面図である。
【図５】本考案に係る第３実施例を示す外観図である。
【考案を実施するための形態】
【０００９】
図１は、本考案に係る第１実施例を示す外観図であり、図２は、図１の側面から見るＡ−Ａ’線断面図である。
図１及び図２に示すように、本考案の空気清浄機１は、本体１０と、そらせ板１１と、ろ過材１２と、ファンモジュール１３とを含む。本体１０は、第１の開口１０１と、第１の受容タンク１０３とを備える。具体的に、本体１０は、略箱形状の構造になり、主に、底板１０７と、対向に設置された第１の側板１０４及び第２の側板（図示せず）と、対向に設置されたパネル１０５及び裏板１０６とで組み立て構成され、その材質は鋼材または樹脂材料のどちらを選んでもよいが、本考案はこれに対して限定していない。
そらせ板１１が第１の側板１０４と第２の側板とにそれぞれ接続され、そらせ板１１と裏板１０６との間に第１の開口１０１が形成され、そらせ板１１とパネル１０５との間に第２の開口１０２が形成されている。第１の受容タンク１０３は、第１の側板１０４から引き出すことが可能な引出式に設計し、ろ過材を受容するために用いられる。ファンモジュール１３は、外部空気を該第１の開口１０１から吸い込んで本体１０内に入るように、本体の内部または外部に設けられている。
【００１０】
本考案の第１実施例の内部構造をより詳しく説明するために、図１を対照しながら図２を参照する。
そらせ板１１は、第１の受容タンク１０３の上方に設けられ、第１開口１１から第２の開口１０２に略斜めに向って、本体を仕切って空気取入ブロック１０８と空気吹出しブロック１０９とに形成し、その中は、空気取入ブロック１０８が第１の開口１０１に連通され、空気吹出しブロック１０９が第２の開口１０２に連通されている。ろ過材１２は第１の受容タンク１０３内に充填されている。ろ過材１２は、水または様々な天然植物が加えられた抽出水溶液、例えば花草精油（ｅｓｓｅｎｔｉａｌ  ｏｉｌ）、フィトンチッドエッセンシャルオイルなどを選択することができ、空気中の酸性の浮遊物質を希釈または中和するように、そのｐＨ値は中性または弱アルカリ性（ｐＨ７〜９）であってよい。
ファンモジュール１３は第１の開口１０１から外部空気を取り入れて本体１０の空気取入ブロック１０８に入ると、浮遊微粒子及び有毒物質のついている外部空気がそらせ板１１に案内されてろ過材の表面に向って吹かれて吸着させられる（図示のように、中空矢印が空気の流れ方向、複数のドット符号が外部空気中の浮遊粒子及び有毒物質を示す）。
本実施例では、そらせ板１１の延出部１１１は略Ｖ字状に形成され、外部空気は、ろ過材１２またはろ過材１２の表面を経由し反発して清浄な空気に浄化された後、延出部１１１に沿って空気吹出しブロック１０９に入り、さらに第２の開口１０２から吹出される。
【００１１】
本考案の空気清浄機１は、ファンモジュール１３とそらせ板１１との設計によって、外部空気を第１の受容タンク１０３に案内しろ過材１２に浄化させることができる。第１の受容タンク１０３は引出式の設計であるため、ろ過材１２がある期間、例えば数時間または１日以上使用されると、ユーザは本体１０から容易に第１の受容タンク１０３を取り出してろ過材１２を取り替えることができる。
本装置は、水の流れが常に新鮮に維持するように電動ポンプまたは他の自動循環システムを用いてもよい。なお、パネル１０５は、光を通さないあるいは光を通すことができる表示パネルで作成してもよく、パネル１０５が外部の電気信号に接続されると、パネルは静態または動態の画像（例えば、景色の写真）を表示することができることで、生活の興味を向上する。
【００１２】
本考案の空気清浄機は、空気を浄化する機能の外、更に、光源モジュール及び緑の植栽を取り組むことで、有酸素、殺菌消毒などの効果に達することができる。
【００１３】
図３は、本考案の第２実施例を示す側面断面図である。図３を参照する。
本実施例では、空気清浄機２は、本体２０と、そらせ板２１と、ろ過材２２と、ファンモジュール２３とを含む外、さらに、緑の植栽２４と光源モジュール２５とが加えられ、その中は、本体２０は、第１の開口２０１と、第２の開口２０２と、空気取入ブロック２０８と、空気吹出しブロック２０９と、第１の受容タンク２０３と、第２の受容タンク２０４とを備える。緑の植栽２４が本体２０の第２の受容タンク２０４内に設けられている。緑の植栽２４を照射して光合成を行い、酸素を発生させるように、そらせ板２１に光源モジュール２５が設けられる。
【００１４】
具体的に、光源モジュール２５は、少なくとも一つの第１の光源と、少なくとも一つの第２の光源とを有し、その中は、第１の光源の波長は５００ｎｍより小さく、この第２の光源の波長は５００ｎｍよりも大きく、例えば、青、緑及び赤色の光の波長の発光ダイオード（ＬＥＤ）あるいは３段の波長の植物ランプを組み合わせて、紫外線の殺菌ライトを構成する。
光源モジュール２５は、全波長域の光源を提供して、緑の植栽２４に光合成を発生させて、酸素を生成することができる以外、第１の光源中の紫外線は、殺菌消毒の役割を果たすこともできる。そのため、空気清浄機２は、空気清浄機１のように空気を浄化することだけでなく、有酸素、殺菌消毒の機能も増加され、生活環境中の空気品質を一層高めることができる。
【００１５】
なお、本考案の空気清浄機は、サイズまたは設置環境に限定されず、例えば、単機を作成して室内に置いて使用してもよいし、建物の窓及び緑の植栽と合わせて物干し台またはベランダに設置してもよく、家庭の日常生活及び仕事環境に有酸素無毒の空気を提供することができる。よって、本考案の空気清浄機が上記環境に適用されると、環境周辺の風力の大きさに応じて第１の開口１０１、２０１からファンモジュール１３を取り外して、外部の空気の中に付いている恐れのある浮遊粒子及び有毒物質をろ過材１２、２２、３２に吹き込むように、本体の外部または第２の開口１０２、２０２にファンモジュール１３を設置してもよい。
【００１６】
図４は、本考案に係る第３実施例を示す側面断面図であり、図５は、本考案に係る第３実施例を示す外観図である。図４及び図５を参照する。
空気清浄機３は、窓台４０に配置され、本体３０と、そらせ板３１と、ろ過材３２と、ファンモジュール３３と、緑の植栽４４と、光源モジュール３５とを含む。空気清浄機３の空気浄化、酸素生成及び殺菌消毒の機能について、第１及び第２実施例を参照するが、繰り返して説明しない。
【００１７】
上記述べているように、本考案の空気清浄機は、ファンモジュールと、そらせ板とを備え、外部の空気が案内され、本体の空気取入ブロックから外部の空気を第１の受容タンク内のろ過材に接触し、ろ過材によって外部空気の中に付いている恐れのある浮遊粒子及び有毒物質を吸着し、浄化された後の空気はさらに本体の空気吹出しブロックを通して室内の空間に吹出される。そのため、本考案の空気清浄機は、空気の中に様々な健康に有害な恐れのある因子を簡易な方法で有効に防止し、体の正常な機能の状態を維持することができる。
また、本考案の空気清浄機は、緑の植栽、光源モジュール及び透過可能な表示パネルに合わせることができ、生活の品質を一層高める。
【００１８】
本考案は、好適な実施態様で以上のように開示されたが、本考案を限定するものではなく、本考案の精神及び範囲から逸脱しない限り、当該技術を熟知する当業者なら誰でも、多様な変動や修正を加えることができる。従って、本考案の保護範囲は、後記する請求の範囲によって限定される  ことに従うべきである。
【符号の説明】
【００１９】
１、２、３  空気清浄機
１０、２０、３０  本体
１１、２１、３１  そらせ板
１２、２２、３２  ろ過材
１３、２３、３３  ファンモジュール
２４、３４  緑の植栽
２５、３５  光源モジュール
４０  窓台
１０１、２０１  第１の開口
１０２、２０２  第２の開口
１０３、２０３  第１の受容タンク
１０４  第１の側板
１０５  パネル
１０６  裏板
１０７  底板
１０８、２０８  空気取入ブロック
１０９、２０９  空気吹出しブロック
１１１  延出部
２０４  第２の受容タンク
【図１】
0003196756.tif 000003
【図２】
0003196756.tif 000004
【図３】
0003196756.tif 000005
【図４】
0003196756.tif 000006
【図５】
0003196756.tif 000007